(57)【要約】【課題】制御ユニットと温水貯蔵手段の距離が近く隣接しているような場合には、温水貯蔵手段内の温水が加熱手段外郭を介してアース電位となっていることにより、電源供給手段より制御ユニット内に浸入した外部ノイズが、制御ユニットに実装したマイコン周辺から温水貯蔵手段内の温水及び加熱手段外郭を介して逃げる経路ができてしまうため、外部ノイズの影響を受けやすい。【解決手段】制御ユニット１と、マイコン２と、温水加熱手段３と、温水加熱手段３の外郭４と、温水貯蔵手段５と、シールド手段７とを備え、電源供給手段６から浸入した外部ノイズを、制御ユニット１からシールド手段７、温水貯蔵手段５内部の温水、外郭４の経路で逃がすことでマイコン２周辺を外部ノイズが通らないようにし、これにより外部ノイズの影響を受けにくいトワレ装置としたものである。【選択図】図１
2006322258.tif 000002
【特許請求の範囲】
【請求項１】
マイコンを有する制御ユニットと、前記制御ユニットを介して制御され、水を所定温度に加熱して温水化する温水加熱手段と、アースが施され、電気的に絶縁された状態で前記温水加熱手段を覆う温水加熱手段の外郭と、前記温水加熱手段で加熱された温水を貯蔵する温水貯蔵手段と、前記制御ユニット及び前記温水加熱手投に電源を供給する電源供給手段とを具備し、前記制御ユニットと前記温水貯蔵手段との間に位置し、かつ前記制御ユニット上の電源ラインと接続されたシールド手段を配設したトイレ装置。
【請求項２】
制御ユニット上の電源ラインにコンデンサを接続した請求項１記載のトイレ装置。
【請求項３】
制御ユニット上の電源ラインにコイルを接続した請求項１記載のトイレ装置。
【請求項４】
制御ユニット上の電源ラインに抵抗を接続した請求項１記載のトイレ装置。
【請求項５】
マイコンを有する制御ユニットと、前記制御ユニットを介して制御され、水を所定温度に加熱して温水化する温水加熱手段と、アースが施され、電気的に絶縁された状態で前記温水加熱手段を覆う温水加熱手段の外郭と、前記温水加熱手段で加熱された温水を貯蔵する温水貯蔵手段と、前記制御ユニット及び前記温水加熱手投に電源を供給する電源供給手段とを具備し、前記制御ユニットと前記温水貯蔵手段との間に位置し、かつ電源供給手段の電源ラインと接続されたシールド手段とを備えたトイレ装置。
【請求項６】
電源供給手段の電源ラインにコンデンサを接続した請求項５記載のトイレ装置。
【請求項７】
電源供給手段の電源ラインにコイルを接続した請求項５記載のトイレ装置。
【請求項８】
電源供給手段の電源ラインに抵抗を接続した請求項５記載のトイレ装置。
【発明の詳細な説明】
【技術分野】
【０００１】
本発明は、洗浄用に使用される温水の供給機能をもつトイレ装置に関するものである。
【背景技術】
【０００２】
従来、この種のトイレ装置は、図９に示すように、温水貯蔵手段５１に温水加熱手段５２を内設するとともに、マイコン５３を有する制御ユニット５４で加熱制御を行うようにしていた。温水加熱手段５２は、電気的に絶縁され、しかもアースが施された外郭５５で外側が覆われている。
【０００３】
制御ユニット５４で制御された温水加熱手段５２は温水貯蔵手段５１に供給された水を昇温して所定温度の温水となす。そして、この温水は用を足した後の人体局部に噴出されその洗浄を行うものである（例えば、特許文献１参照）。
【特許文献１】特開２００２−３７２３０６号公報
【発明の開示】
【発明が解決しようとする課題】
【０００４】
しかしながら、前記従来の構成では、製品の形状や内部構造の制約等の理由で、制御ユニット５４と温水貯蔵手段５１とが近接してしまう場合があり、この場合は、温水貯蔵手段５１内の温水が温水加熱手段５２の外郭５５を介してアース電位となっていることにより、電源供給手投５６より制御ユニット５４内に浸入した外部ノイズがマイコン５３の周辺から温水貯蔵手段５１内の温水及び外郭５５を介して逃げる経路ができてしまうため、外部ノイズの影響を受けやすいというという課題を有していた。
【０００５】
本発明は前記従来の課題を解決するもので、制御ユニットと温水貯蔵手段の位置関係にかかわらず、外部ノイズの影響を受けにくいトイレ装置を提供することを目的とする。
【課題を解決するための手段】
【０００６】
前記従来の課題を解決するために、本発明のトイレ装置は、制御ユニットと温水貯蔵手段との間にシールド手段を設ける構成にしたものである。
【０００７】
電源供給手段から浸入した外部ノイズを、シールド手段を介して逃がすことで、特にマイコンが外部ノイズを受けず、確実な制御ができることとなる。
【発明の効果】
【０００８】
本発明のトイレ装置は、制御ユニットと温水貯蔵手段との間にシールド手段を設けることにより、電源供給手段から浸入した外部ノイズを、シールド手段を介して逃がし、マイコン周辺を外部ノイズが通らないようにすることで、制御ユニットと温水貯蔵手段の位置関係にかかわらず、外部ノイズの影響を受けにくくすることができる。
【発明を実施するための最良の形態】
【０００９】
本発明のトイレ装置は、マイコンを有する制御ユニットと、前記制御ユニットを介して制御され、水を所定温度に加熱して温水化する温水加熱手段と、アースが施され、電気的に絶縁された状態で前記温水加熱手段を覆う温水加熱手段の外郭と、前記温水加熱手段で加熱された温水を貯蔵する温水貯蔵手段と、前記制御ユニット及び前記温水加熱手投に電源を供給する電源供給手段とを具備し、前記制御ユニットと前記温水貯蔵手段との間に位置し、かつ前記制御ユニット上の電源ラインと接続されたシールド手段を配設したものである。
【００１０】
従って、電源供給手段から浸入した外部ノイズは、制御ユニット上の電源ラインからシールド手段を介して逃げるため、マイコン等への影響がなくなる。
【００１１】
外部ノイズを確実に逃すために、例えば、制御ユニット上の電源ラインに、コンデンサやコイル、あるいは抵抗を接続することが考えられる。
【００１２】
また本発明は、マイコンを有する制御ユニットと、前記制御ユニットを介して制御され、水を所定温度に加熱して温水化する温水加熱手段と、アースが施され、電気的に絶縁された状態で前記温水加熱手段を覆う温水加熱手段の外郭と、前記温水加熱手段で加熱された温水を貯蔵する温水貯蔵手段と、前記制御ユニット及び前記温水加熱手投に電源を供給する電源供給手段とを具備し、前記制御ユニットと前記温水貯蔵手段との間に位置し、かつ電源供給手段の電源ラインと接続されたシールド手段とを備えたもので、電源供給手段から浸入した外部ノイズを、その電源ラインからシールド手段を介して逃がし、マイコン周辺を外部ノイズが通らないようにすることができる。
【００１３】
外部ノイズを確実に逃すために、例えば、電源供給手段の電源ラインに、コンデンサやコイル、あるいは抵抗を接続することが考えられる。
【００１４】
以下本発明の実施の形態について、図面を参照しながら説明する。なお、本実施の形態によって本発明が限定されるものではない。
【００１５】
（実施の形態１）
図１において、１は制御ユニット、２はこの制御ユニット１に実装されたマイコン、３は制御ユニット１からの制御で水を加熱して温水にする温水加熱手段、４は温水加熱手段３の外郭で、電気的に絶縁され、かつアースされている。
【００１６】
５は温水加熱手段３を内蔵した温水貯蔵手段、６は制御ユニット１及び温水加熱手段３に電源を供給する電源供給手段、７は制御ユニット１と温水貯蔵手段５との間に位置し、制御ユニット１上の電源ラインと接続されたシールド手段である。
【００１７】
以上のように構成されたトイレ装置について以下その動作、作用を説明する。
【００１８】
まず、電源供給手段６から浸入した外部ノイズは制御ユニット１上の電源ラインを通ってシールド手段７に到達する。そして、外部ノイズはシールド手段７から温水貯蔵手段５に貯蔵された温水を介して温水加熱手段外郭４に到達しアースヘ逃げる。
【００１９】
このようにマイコン２周辺よりも電源側に別の経路を設けることで、マイコン２周辺を外部ノイズが通らないようにすることができる。
【００２０】
このように、電源供給手段６から浸入した外部ノイズを制御ユニット１上の電源ラインからシールド手段７を介して逃がし、マイコン２周辺を外部ノイズが通らないようにすることが可能となるため、制御ユニット１と温水貯蔵手段５の位置関係にかかわらず、外部ノイズの影響を受けにくいトワレ装置とすることができ、温度制御などの制御が確実に行われるものである。
【００２１】
（実施の形態２）
図２において、１は制御ユニット、２はこの制御ユニット１に実装されたマイコン、３は制御ユニット１からの制御で水を加熱して温水にする温水加熱手段、４は前記温水加熱手段３の外郭で、電気的に絶縁され、アースされている。
【００２２】
５は温水加熱手段３で加熱された温水を貯蔵する温水貯蔵手段、６は制御ユニット１及び温水加熱手段３に電源を供給する電源供給手段、８は制御ユニット１上の電源ラインと接続されたコンデンサ、９は制御ユニット１と温水貯蔵手段５との間に位置し、コンデンサ８と接続されたシールド手段である。
【００２３】
以上のように構成されたトイレ装置について以下その動作、作用を説明する。
【００２４】
まず、電源供給手段６かち浸入した外部ノイズは制御ユニット１上の電源ラインを通ってコンデンサ８を介してシールド手段９に到達する。そして外部ノイズはシールド手段９から温水貯蔵手段５に貯蔵された温水を介して温水加熱手段外郭４に到達しアースヘ逃げる。
【００２５】
このようにマイコン２周辺よりも電源側に別の経路を設けることで、マイコン２周辺を外部ノイズが通らないようにすることができる。
【００２６】
（実施の形態３）
図３において、１は制御ユニット、２は制御ユニット１に実装されたマイコン、３は制御ユニット１からの制御で水を加熱して温水にする温水加熱手段、４は温水加熱手段３の外郭で、電気的に絶縁され、アースされている。
【００２７】
５は温水加熱手段３で加熱された温水を貯蔵する温水貯蔵手段、６は制御ユニット１及び温水加熱手段３に電源を供給する電源供給手段、１０は制御ユニット１上の電源ラインと接続されたコイル、１１は制御ユニット１と温水貯蔵手段５との間に位置し、コイル１０と接続されたシールド手段である。
【００２８】
以上のように構成されたトイレ装置について以下その動作、作用を説明する。
【００２９】
まず、電源供給手投６から浸入した外部ノイズは制御ユニット１上の電源ラインを通ってコイル１０を介してシールド手段１１に到達する。そして外部ノイズはシールド手段１１から温水貯蔵手段５に貯蔵された温水を介して外郭４に到達しアースヘ逃げる。このようにマイコン２周辺よりも電源側に別の経路を設けることで、マイコン２周辺を外部ノイズが通らないようにすることができる。
【００３０】
（実施の形態４）
図４において、１は制御ユニット、２は制御ユニット１に実装されたマイコン、３は制御ユニット１からの制御で水を加熱して温水にする温水加熱手段、４は温水加熱手段３外郭で、電気的に絶縁され、アースされている。５は温水加熱手段３で加熱された温水を貯蔵する温水貯蔵手段、６は制御ユニット１及び温水加熱手段３に電源を供給する電源供給手段、１２は制御ユニット１上の電源ラインと接続された抵抗、１３は制御ユニット１と温水貯蔵手段５との間に位置し、抵抗１２と接続されたシールド手段である。
【００３１】
以上のように構成されたトイレ装置について以下その動作、作用を説明する。
【００３２】
まず、電源供給手段６から浸入した外部ノイズは制御ユニット１上の電源ラインを通って抵抗１２を介してシールド手段１３に到達する。そして外部ノイズはシールド手段１３から温水貯蔵手段５に貯蔵された温水を介して温水加熱手段外郭４に到達しアースヘ逃げる。このようにマイコン２周辺よりも電源側に別の経路を設けることで、マイコン２周辺を外部ノイズが通らないようにすることができる。
【００３３】
（実施の形態５）
図５において、１は制御ユニット、２は制御ユニット１に実装されたマイコン、３は制御ユニット１からの制御で水を加熱して温水にする温水加熱手段、４は温水加熱手段３の外郭で、電気的に絶縁され、アースされている。
【００３４】
５は温水加熱手段３で加熱された温水を貯蔵する温水貯蔵手段、６は制御ユニット１及び温水加熱手段３に電源を供給する電源供給手段、１４は制御ユニット１と温水貯蔵手段５との間に位置し、電源供給手段６の電源ラインと接続されたシールド手段である。
【００３５】
以上のように構成されたトイレ装置について以下その動作、作用を説明する。
【００３６】
まず、電源供給手段６から浸入した外部ノイズは電源供給手段６の電源ラインを通ってシールド手段１４に到達する。そして外部ノイズはシールド手段１４から温水貯蔵手段５に貯蔵された温水を介して温水加熱手段外郭４に到達しアースヘ逃げる。このようにマイコン２周辺よりも電源側に別の経路を設けることで、マイコン２周辺を外部ノイズが通らないようにすることができる。
【００３７】
（実施の形態６）
図６において、１は制御ユニット、２は制御ユニット１に実装されたマイコン、３は制御ユニット１からの制御で水を加熱して温水にする温水加熱手段、４は温水加熱手段３の外郭で、電気的に絶縁され、アースされている。
【００３８】
５は温水加熱手段３で加熱された温水を貯蔵する温水貯蔵手段、６は制御ユニット１及び温水加熱手段３に電源を供給する電源供給手段、１５は電源供給手段６の電源ラインと接続されたコンデンサ、１６は制御ユニット１と温水貯蔵手段５との間に位置し、コンデンサ１５と接続されたシールド手段である。
【００３９】
以上のように構成されたトイレ装置について以下その動作、作用を説明する。
【００４０】
まず、電源供給手段６から浸入した外部ノイズは電源供給手段６の電源ラインを通ってコンデンサ１５を介してシールド手段１６に到達する。そして外部ノイズはシールド手段１６から温水貯蔵手段５に貯蔵された温水を介して温水加熱手段外郭４に到達しアースヘ逃げる。このようにマイコン２周辺よりも電源側に別の経路を設けることで、マイコン２周辺を外部ノイズが通らないようにすることができる。
【００４１】
（実施の形態７）
図７において、１は制御ユニット、２は制御ユニット１に実装されたマイコン、３は制御ユニット１からの制御で水を加熱して温水にする温水加熱手段、４は温水加熱手段３の外郭で、電気的に絶縁され、アースされている。
【００４２】
５は温水加熱手段３で加熱された温水を貯蔵する温水貯蔵手段、６は制御ユニット１及び温水加熱手段３に電源を供給する電源供給手段、１７は電源供給手段６の電源ラインと接続されたコイル、１８は制御ユニット１と温水貯蔵手段５との間に位置し、コイル１７と接続されたシールド手段である。
【００４３】
以上のように構成されたトイレ装置について以下その動作、作用を説明する。
【００４４】
まず、電源供給手段６から浸入した外部ノイズは電源供給手段６の電源ラインを通ってコイル１７を介してシールド手段１８に到達する。そして外部ノイズはシールド手段１８から温水貯蔵手段５に貯蔵された温水を介して温水加熱手投外郭４に到達しアースヘ逃げる。このようにマイコン２周辺よりも電源側に別の経路を設けることで、マイコン２周辺を外部ノイズが通らないようにすることができる。
【００４５】
（実施の形態８）
図８において、１は制御ユニット、２は制御ユニット１に実装されたマイコン、３は制御ユニット１からの制御で水を加熱して温水にする温水加熱手段、４は温水加熱手段３の外郭で、電気的に絶縁され、アースされている。
【００４６】
５は温水加熱手段３で加熱された温水を貯蔵する温水貯蔵手段、６は制御ユニット１及び温水加熱手段３に電源を供給する電源供給手段、１９は電源供給手段６の電源ラインと接続された抵抗、２０は制御ユニット１と温水貯蔵手段５との間に位置し、抵抗１９と接続されたシールド手段である。
【００４７】
以上のように構成されたトイレ装置について以下その動作、作用を説明する。
【００４８】
まず、電源供給手段６から浸入した外部ノイズは電源供給手段６の電源ラインを通って抵抗１９を介してシールド手段２０に到達する。そして外部ノイズはシールド手段２０から温水貯蔵手段５に貯蔵された温水を介して温水加熱手段外郭４に到達しアースヘ逃げる。このようにマイコン２周辺よりも電源側に別の経路を設けることで、マイコン２周辺を外部ノイズが通らないようにすることができる。
【産業上の利用可能性】
【００４９】
以上のように、本発明にかかるトイレ装置は、電源供給手段かち浸入した外部ノイズを、制御ユニットからシールド手段を介して逃がし、マイコン周辺を外部ノイズが通らないようにすることにより、外部ノイズに影響を受けにくくすることが可能となるので、外部ノイズの影響を受けやすい取り付け構成となっている制御ユニットを有する機器の信頼性の向上等の用途にも適用できる。
【図面の簡単な説明】
【００５０】
【図１】本発明の実施の形態１のトイレ装置の構成図
【図２】本発明の実施の形態２のトイレ装置の構成図
【図３】本発明の実施の形態３のトイレ装置の構成図
【図４】本発明の実施の形態４めトイレ装置の構成図
【図５】本発明の実施の形態５のトイレ装置の構成図
【図６】本発明の実施の形態６のトイレ装置の構成図
【図７】本発明の実施の形態７のトイレ装置の構成図
【図８】本発明の実施の形態８のトイレ装置の構成図
【図９】従来のトイレ装置の構成図
【符号の説明】
【００５１】
１  制御ユニット
２  マイコン
３  温水加熱手段
４  外郭
５  温水貯蔵手段
６  電源供給手段
７，９，１１，１３，１４，１６，１８  シールド手段
８，１５  コンデンサ
１０，１７  コイル
１２，１９  抵抗
【図１】
2006322258.tif 000003
【図２】
2006322258.tif 000004
【図３】
2006322258.tif 000005
【図４】
2006322258.tif 000006
【図５】
2006322258.tif 000007
【図６】
2006322258.tif 000008
【図７】
2006322258.tif 000009
【図８】
2006322258.tif 000010
【図９】
2006322258.tif 000011